(57)【特許請求の範囲】
【請求項１】
（ａ）中央ナックルがその端縁に形成される中央取付板と、
（ｂ）一対の上ナックルおよび下ナックルが前記中央ナックルの上下両端であって、その端縁に形成される周辺取付板と、
（ｃ）上部軸案内ピンによって案内されながら、前記中央ナックルに対して相対的に左右方向に水平移動しうるように前記中央ナックルの内部に配設される上部軸と、
（ｄ）前記上部軸が回転自在に嵌合する上向きの釣鐘状の上端軸受部を有するとともに、下部軸案内ピンによって案内されながら、前記下ナックルに対して相対的に前後方向に水平移動しうるように前記下ナックルの内部に配設される下部軸と、
（ｅ）前記下ナックルの内部において、前記下部軸が遊嵌されるとともに、前記下ナックルに対して相対的に上下動可能に配設されてなる内部ケースと、
（ｆ）前記上部軸において、当該上部軸の移動可能な方向に貫通するよう穿設されたネジ孔に螺入される左右位置調整ネジと、
（ｇ）前記下部軸において、当該下部軸の移動可能な方向に貫通するよう穿設されたネジ孔に螺入される前後位置調整ネジと、
（ｈ）前記下部軸において、前記内部ケースを上下動可能に支持するとともに、内部ケースを上方向に押圧しうるよう設けられる上下位置調整ネジと、
（ｉ）前記上ナックルの内部において、前記上部軸が回転自在に嵌合される下向きの下端軸受部を有するとともに、前記上ナックルに対して相対的に上下動可能に配設されてなる内部キャップと、
（ｊ）前記内部キャップを上下移動可能に支持するとともに内部キャップを下方向に押圧しうるスプリングとからなり、
前記上部軸案内ピンが前記中央ナックルに固着され、前記下部軸案内ピンが前記内部ケースに固着され、
前記左右位置調整ネジが軸方向に移動できないように前記中央ナックルに回転自在に支持され、前記前後位置調整ネジが軸方向に移動できないように前記内部ケースに回転自在に支持されてなる
ことを特徴とする蝶番。
【請求項２】
前記上ナックルにおいて、前記内部キャップの上下動の上限を規制するための規制ネジが配設されてなる請求項１記載の蝶番。
【請求項３】
少なくとも前記中央ナックルを、その内部で移動可能に収納しうるキャップを、少なくとも前記中央ナックルの外周に設けてなる請求項１または２記載の蝶番。
【請求項４】
前記上部軸の少なくとも下端部が略球面状である請求項１、２または３記載の蝶番。
【請求項５】
前記周辺取付板に前記中央取付板よりも大きい開口が形成され、取付板同士が干渉することなく全回転することができる請求項１、２、３または４記載の蝶番。
【請求項６】
前記前後位置調整ネジが、両端にそれらを操作するための器具用の穴または溝を有しており、どちらの端部からでも操作することができる請求項１、２、３、４または５記載の蝶番。
【請求項７】
前記中央取付板に扉を位置合わせするためのガイド部が設けられてなる請求項１、２、３、４、５または６記載の蝶番。
【発明の詳細な説明】
【０００１】
【発明の属する技術分野】
本発明は蝶番に関する。さらに詳しくは扉、窓その他の開閉されるものを静止部材に取り付けるための蝶番に関する。
【０００２】
【従来の技術および発明が解決しようとする課題】
従来より、図５に示されるような蝶番１５０が一般的に使用されている。この蝶番１５０は、それぞれの端縁に略円筒状のナックル１５３、１５４が形成されている２枚の取付板１５１、１５２と、それぞれのナックル１５３、１５４を貫いて挿入され、その両端頭部１５６がかしめられて２枚の取付板１５１、１５２を回転自在に支持する軸ピン１５５とからなる。１５７は取付孔である。
【０００３】
この蝶番１５０を用いて、図６および図７に示されるように扉Ｄを建具枠Ｆなどに取りつけたばあい、扉Ｄが建具枠Ｆの内部にきちんと納まらず、建具枠Ｆとのあいだの心合せが狂うことがある。
【０００４】
このばあい、図７に示されるように建具枠Ｆとのあいだの隙間が不ぞろいになり不体裁であるばかりでなく、扉Ｄの開閉に支障が生ずるという問題がある。
【０００５】
しかも、前述のような従来の蝶番１５０では、心合せの狂いを調節できないので、いったん扉Ｄを取りつけた後は、心合せの修正ができないという問題がある。
【０００６】
そこで、図８に示されるような、蝶番１６０が提案されている。この蝶番１６０は、矢印１６１および矢印１６２方向の心合わせの修正が可能である。
【０００７】
すなわち、図８において、一方の取付板１７１のナックル１７３の底端には、擬宝珠１７６がピン１７７で固定されている。このナックル１７３には、２本のねじ棒１７８、１７９がナックル１７３の軸方向に間隔をおき、かつ半径方向に貫通するように取りつけられている。そして、各ねじ棒１７８、１７９は、ナックル１７３から抜けることなく、しかも回転自在に取り付けられている。
【０００８】
軸ピン１８０は下端部１８１と上端部１８２とからなり、下端部１８１はナックル１７３に挿入されている。この下端部１８１は、その外径がナックル１７３の内径よりも細く、ナックル１７３の内部で半径方向に動く余地がある。そして、この下端部１８１は、前記ねじ棒１７８、１７９に螺合されて、支持されている。
【０００９】
軸ピン１８０の上端部１８２には、他方の取付板１７２のナックル１７４が挿入されている。このナックル１７４の上端には、擬宝珠１８３が固定されており、その内部には雌ねじ部１８４が形成されている。そして、雌ねじ部１８４には調節ねじ１８５が螺合されている。この調節ねじ１８５は、ねじ込めばナックル１７４内へ進入し、ねじ戻せばナックル１７４内から上昇する。そして、調節ねじ１８５の先端は、滑り板１８６を介して軸ピン１８０の上端に当接している。
【００１０】
この蝶番１６０は、取付孔１７５にビスを通して建具枠と扉に固定した後で、心合せを行うことができる。
【００１１】
すなわち、ねじ棒１７８、１７９を回転させれば、軸ピン１８０の下端部１８１をナックル１７３内で、そして、中心位置から偏寄させたり、また中心位置に戻したりすることができる。そして、ねじ棒１７８、１７９を互いに反対向きに回転させて、軸ピン１８０の軸心をナックル１７３に対して傾斜させることもできる。この操作により、建具枠Ｆに取りつけられた扉Ｄの上端部または下端部（図７参照）の横方向（図８の矢印１６２の方向）の心ズレを修正しうる。
【００１２】
つぎに、調整ねじ１８５をねじ込めば、調整ねじ１８５の先端が軸ピン１８０の上端に当接しているので、ナックル１７４が上昇する。逆に調整ねじ１８５をねじ戻せば、ナックル１７４が下降する。これにより、取付板１７２が上昇および下降するので、扉Ｄの高さ方向の心ズレを修正することができる。
【００１３】
この蝶番１６０によれば、扉などを建具枠に取りつけたのちに、扉と建具枠間の心合せを調整しうるので、不体裁な隙間の狂いなどを解消することができる。
【００１４】
しかしながら、図８に示されるような蝶番１６０であっても、調整しうる方向が矢印１６１、１６２を含む平面内に限られており、矢印１６３方向の調整はできず、微妙な調整をすることができないという問題を残していた。
【００１５】
また、他の従来の蝶番として、実願昭５７−１７６２９３号（実開昭５９−８００６４号）において開示される蝶番がある。
【００１６】
この蝶番は、図９〜１０に示されるように、２枚の板体２０１、２０２と、当該両板体２０１、２０２を回転可能に結合するために下側の板体２０１に取り付けられた軸２０３と、前記上側の板体２０２に取り付けられ、かつ前記軸２０３を下方より回転自在に嵌合させるための孔２０４を有する金具２０５とからなっている。なお、２０６はボール、２０７はガイドピンである。また、板体２０１の張り出し部２０１ａは、軸２０３の下端に連結された２枚の板部２１０のあいだに遊嵌され、ボルト２０８に螺合されている。
【００１７】
図９〜１０の蝶番のばあい、ボルト２０８を回転させることにより、板体２０１を前後方向（図１０の矢印２２１の方向）に移動させて前後方向における蝶番の調整をすることができる。また、金具２０５上部の雌ネジ孔２１１に螺入された雄ネジ軸２０９をねじ回すことにより、板体２０２を上下方向（図９の矢印２２２の方向）に移動させて上下方向における蝶番の調整をすることができる。しかしながら、板体２０１または２０２を左右方向（図９の矢印２２３の方向）に移動させて左右方向における蝶番の調整をすることができないため、正確な扉の心合せを達成することができない。
【００１８】
本発明はかかる事情に鑑み、扉を取り付けたのちに取り付けの心合せを、３次元方向に自在に調整することができ、かつ扉のぐらつきを解消することができる蝶番を提供することを目的とする。
【００１９】
【課題を解決するための手段】
本発明の蝶番は、（ａ）中央ナックルがその端縁に形成される中央取付板と、
（ｂ）一対の上ナックルおよび下ナックルが前記中央ナックルの上下両端であって、その端縁に形成される周辺取付板と、
（ｃ）上部軸案内ピンによって案内されながら、前記中央ナックルに対して相対的に左右方向に水平移動しうるように前記中央ナックルの内部に配設される上部軸と、
（ｄ）前記上部軸が回転自在に嵌合する上向きの釣鐘状の上端軸受部を有するとともに、下部軸案内ピンによって案内されながら、前記下ナックルに対して相対的に前後方向に水平移動しうるように前記下ナックルの内部に配設される下部軸と、
（ｅ）前記下ナックルの内部において、前記下部軸が遊嵌されるとともに、前記下ナックルに対して相対的に上下動可能に配設されてなる内部ケースと、
（ｆ）前記上部軸において、当該上部軸の移動可能な方向に貫通するよう穿設されたネジ孔に螺入される左右位置調整ネジと、
（ｇ）前記下部軸において、当該下部軸の移動可能な方向に貫通するよう穿設されたネジ孔に螺入される前後位置調整ネジと、
（ｈ）前記下部軸において、前記内部ケースを上下動可能に支持するとともに、内部ケースを上方向に押圧しうるよう設けられる上下位置調整ネジと、
（ｉ）前記上ナックルの内部において、前記上部軸が回転自在に嵌合される下向きの下端軸受部を有するとともに、前記上ナックルに対して相対的に上下動可能に配設されてなる内部キャップと、
（ｊ）前記内部キャップを上下移動可能に支持するとともに内部キャップを下方向に押圧しうるスプリングとからなり、
前記上部軸案内ピンが前記中央ナックルに固着され、前記下部軸案内ピンが前記内部ケースに固着され、
前記左右位置調整ネジが軸方向に移動できないように前記中央ナックルに回転自在に支持され、前記前後位置調整ネジが軸方向に移動できないように前記内部ケースに回転自在に支持されてなる
ことを特徴としている。
【００２０】
前記上ナックルにおいて、前記内部キャップの上下動の上限を規制するための規制ネジが配設されてなるのが好ましい。
【００２１】
少なくとも前記中央ナックルを、その内部で移動可能に収納しうるキャップを、少なくとも前記中央ナックルの外周に設けてなるのが好ましい。
【００２２】
前記上部軸の少なくとも下端部が略球面状であるのが好ましい。
【００２３】
前記周辺取付板に前記中央取付板よりも大きい開口が形成され、取付板同士が干渉することなく全回転することができるのが好ましい。
【００２４】
前記前後位置調整ネジが、両端にそれらを操作するための器具用の穴または溝を有しており、どちらの端部からでも操作することができるのが好ましい。
【００２５】
前記中央取付板に扉を位置合わせするためのガイド部が設けられてなるのが好ましい。
【００２６】
本発明の蝶番によれば、３つの調整ネジを順逆いずれかに回すことにより、上部取付板および下部取付板を互いに相対的に３方向（左右、前後、上下）に移動させ、その結果、蝶番の調整をすることができる。そのため、扉を建具枠に取り付けたのちに正確に心合せすることができる。
【００２７】
具体的には、上部軸と中央ナックルとのあいだ、および下部軸と下ナックルとのあいだの相対的移動によって蝶番の３方向の調整をすることができる。
【００２８】
左右方向の調整は、左右位置調整ネジの回転によって、上部軸が上部軸案内ピンによって正確に案内されながら前記中央ナックルに対して相対的に左右方向に水平移動することにより達成される。
【００２９】
また、前後方向の調整は、前後位置調整ネジの回転によって、下部軸が下部軸案内ピンによって正確に案内されながら前記下ナックルに対して相対的に前後方向に水平移動することにより達成される。
【００３０】
さらに、上下方向の調整は、上下位置調整ネジの回転によって、前記下ナックルに内蔵された内部ケースが上方向に押圧され、それにより、下ナックルと下部軸とのあいだで相対的な上下移動が行なわれることにより達成される。
【００３１】
しかも、スプリングの付勢力によって、前記上ナックルに内蔵された内部キャップが常時、下方向に押圧されているため、上部軸を常時下部軸および内部キャップによって上下から挟みながら回転自在に支持することができる。それにより、上部軸の下部軸に対する相対的なずれやぐらつきは解消される。その結果、扉の３次元方向の心合せができ、しかも扉のぐらつきも発生しない。
【００３２】
【発明の実施の形態】
以下、添付図面を参照しながら本発明の蝶番を詳細に説明する。図１は本発明の蝶番の一実施例である蝶番を扉に取り付けた一例を示す斜視説明図、図２は図１の蝶番の斜視説明図、図３は図２の蝶番の縦断面説明図、図４は図３の蝶番のIV−IV線断面図である。
【００３３】
図１において、一対の３方向の調整が可能な蝶番１を用いて扉Ｄを建具枠Ｆに取り付けた状態が示されている。なお、図１では、わかり易くするために蝶番を誇張して描いている。
【００３４】
図２はキャップ３０を蝶番１に取り付けた状態を示す。キャップ３０は、図３に示されるように、上ナックル２６および下ナックル６の外周に回転自在に設けられ、中央ナックル７を内包するものである。中央取付板５は、扉Ｄ側に取り付けられ、周辺取付板４は、建具枠Ｆ側に取り付けられる。キャップ３０の側面には、軸方向に沿ってスリット３０ａが形成され、当該スリット３０ａには中央取付板５が嵌合している。したがって、キャップ３０は、中央取付板５の回動に従って回動する。なお、本実施例では、上ナックル２６および下ナックル６がキャップ３０から露出した例をあげて説明したが、本発明はこれに限定されるものではなく、中央ナックル７をキャップ３０の内部で移動可能であれば、中央ナックル７、上ナックル２６および下ナックル６を内包するキャップを採用してもよい。
【００３５】
蝶番１は、図３および図４に示されるように、周辺部２および中央部３からなる。また、周辺部２は、周辺取付板４と、周辺取付板４の下側の端縁に設けられた下ナックル６と、下ナックル６内部の下部軸８、前後位置調整ネジ９、下部軸案内ピン１０、内部ケース１８、上下位置調整ネジ１３、下部擬宝珠１４と、周辺取付板４の上側の端縁に設けられた上ナックル２６と、上ナックル２６内部の内部キャップ２８およびスプリング４１とからなる。中央部３は、中央取付板５とその端縁に設けられた中央ナックル７と、中央ナックル７内に配設された、左右位置調整ネジ１２、上部軸案内ピン１５および上部軸１６とから構成されている。
【００３６】
下部軸８の上向きの釣鐘状の上端軸受部１１には、上部軸１６の下端軸部１７が回転自在に嵌合され、それにより中央部３を回転自在に支持している。さらに、上部軸１６と下部軸８とのあいだの接触面には、上部軸１６の回転を円滑にするための金属製の滑り板３３および樹脂製の滑り板３７、３８が配設されている。中央部３および周辺部２の各部材は、鉄、ステンレス、アルミニウム、真ちゅうなどの金属から製造されることが、強度が確保できるという点から好ましい。
【００３７】
また、前記下端軸部１７の先端が略球面状に形成されているため、嵌合が容易になる。しかも、図３の例では、上部軸１６の上下の両端部が略球面状に形成されているため、下部軸８および内部キャップ２８に対して滑りやすくなり、その結果、扉側の中央取付板５を円滑に回転することができる。
【００３８】
左右位置調整ネジ１２は、前記上部軸１６において、左右方向に貫通するように穿設されたネジ孔１６ｂに螺入されている。前記ネジ１２の先端のくびれ部１２ａは中央ナックル７の開口７ｃに回転自在に支持されている。一方、ネジ１２の後端のつば部１２ｂは中央ナックル７の開口７ｄに回転自在に係止されている。これにより、ネジ１２は、軸方向に移動できないように前記中央ナックル７に回転自在に支持されている。前記ネジ１２の後端にはねじ回しまたは棒スパナなどを用いて回転できるように十字形などの溝または六角形などの穴１２ｃが形成されている。前記後端の穴１２ｃは、開口７ｄを通して中央ナックル７の外部に露出している。したがって、キャップ３０を取り付ける前に外部から容易に左右位置調整ネジ１２の回転操作を行なうことができる。
【００３９】
なお、上部軸１６において、少なくともネジ孔１６ｂの周辺部分は、補強のために厚肉になるように形成するのが好ましい。たとえば、図４に示されるように、ネジ孔１６ｂの軸に対して垂直方向へ上部軸１６の直径が大きくなるような略楕円断面形状を呈するように形成すればよい。ただし、このばあい上部軸１６が上ナックル７に対して相対的に矢印３４の方向へ移動したときに上ナックル７に接触しないように、上部軸１６と上ナックル７とのあいだに若干の隙間を確保する必要がある。
【００４０】
前記くびれ部１２ａは、たとえば、ネジ１２の先端をあらかじめ若干細く形成しておき、ネジ１２を上ナックル７の開口７ｄから開口７ｃへ貫通させたのち、ネジ１２の先端を開口７ｃの部位でかしめることにより形成すればよい。
【００４１】
前後位置調整ネジ９は、前記下部軸８において、前後方向に貫通するように穿設されたネジ孔８ｂに螺入されている。前後位置調整ネジ９は、前記左右位置調整ネジ１２と同様に、くびれ部およびつば部（図示せず）を有している。該くびれ部およびつば部により、ネジ９は、軸方向に移動できないように、内部ケース１８に回転自在に支持されている。前記左右位置調整ネジ１２と同様に、前後位置調整ネジ９の後端に形成された十字形の溝または六角形などの穴９ｃは、下ナックル６のスリット６ａ（図２参照）を通して外部に露出している。
【００４２】
上下位置調整ネジ１３は、下ナックル６の下端にピン２９によって固着された下部擬宝珠１４を上下方向に貫通するように穿設されたネジ孔１４ａに螺入されている。上下位置調整ネジ１３の先端１３ａは、内部ケース１８の下面に当接している。また、上下位置調整ネジ１３の後端に形成された十字形の溝または六角形などの穴１３ｂは、前記ネジ穴１４ａを通して外部に露出しているため、外部から上下位置調整ネジ１３を回転操作して中央取付板５の高さ調整をすることができる。
【００４３】
内部ケース１８は、一方の開口が閉じられた筒体からなり、前記下ナックル６内部において、前記下部軸８の下端部に遊嵌されるとともに前記下ナックル６に対して相対的に上下動できるように配設されている。
【００４４】
上部軸案内ピン１５は、上部軸１６を左右方向に案内するために、上部軸１６の孔１６ａに挿通されたピンであり、前記左右位置調整ネジ１２の上方および下方において当該ネジ１２と平行に１本づつのびている。上部軸案内ピン１５は、その両端部が中央ナックル７に固着されている。
【００４５】
下部軸案内ピン１０は、下部軸８を前後方向に案内するために下部軸８の孔８ａに挿通されたピンであり、前記前後位置調整ネジ９の上方および下方において当該ネジ９と平行に１本づつのびている。下部軸案内ピン１０は、その両端部が内部ケース１８に固着されているが、下ナックル６に対しては固着されていない。
【００４６】
なお、図示されていないが、下部軸案内ピン１０の少なくとも１本のうちの一端が延長して延長部が形成され、該延長部が下ナックル６に形成された上下方向にのびるスリットに挿入されていれば、内部ケース１８が下ナックル６に対して相対的に回転したり、傾いたりしない。
【００４７】
さらに、周辺取付板４の上側の端縁に形成された上ナックル２６の内部において、内部キャップ２８が前記上ナックル２６に対して相対的に上下動可能に配設されている。しかも、内部キャップ２８の下部には、前記上部軸１６の上端が回転自在に嵌合される下向きの下端軸受部２８ａが形成されている。下端軸受部２８ａは、図３のようにたとえば下方に開いた凹部であればよい。
【００４８】
また、上ナックル２６の内部には、前記内部キャップ２８を上下移動可能に支持するとともに内部キャップ２８を下方に押圧しうるスプリング４１が設けられている。スプリング４１は、内部キャップ２８と上部擬宝珠４２とのあいだで伸縮する。上部擬宝珠４２は、ピン４３によって上ナックル２６に固定されている。
【００４９】
さらに、上部擬宝珠４２を上下方向に貫通するように穿設されたネジ孔４２ａには、前記内部キャップ２８の上下動の上限を規制するための規制ネジ４４が螺入されている。
【００５０】
以上のように構成された蝶番１は以下のようにして蝶番の調整を行なう。
【００５１】
左右方向の調整を行なうばあい、図３〜４に示されるように、キャップ３０を外した状態でネジ回しなどを用いて左右位置調整ネジ１２を回転させる。このとき、左右位置調整ネジ１２は、両端が中央ナックル７によって拘束されているため回転するのみで移動できない。上部軸１６は、上部軸案内ピン１５によって正確に案内されながら前記中央ナックル７に対して相対的に左右方向（図３〜４の矢印３４参照）に水平移動する。その結果、蝶番は正確に左右方向の調整をすることができる。
【００５２】
前後方向の調整を行なうばあい、図３に示されるように、前述と同様に前後位置調整ネジ９を回転させる。このとき、前後位置調整ネジ９は、両端が内部ケース１８によって拘束されているため、回転するのみで移動できない。下部軸８は下部軸案内ピン１０によって、正確に案内されながら、前記下ナックル６に対して相対的に前後方向（図４の矢印３５参照）に水平移動する。その結果、蝶番は、正確に前後方向の調整をすることができる。
【００５３】
上下方向の調整を行なうばあい、図３に示されるように、ねじ回しなどを用いて上下位置調整ネジ１３を回転させ、下部擬宝珠１４から所望の量だけ上方へ出没させる。このとき、内部ケース１８が上下位置調整ネジ１３の先端１３ａによって上方向に押圧される。それにより、下ナックル６と下部軸８とのあいだで相対的な上下移動が行なわれる。
【００５４】
しかも、スプリング４１の付勢力によって、内部キャップ２８が、常時、下方向に押圧されているため、上部軸１６を常時下部軸８および内部キャップ２８によって上下から挟みながら回転自在に支持することができる。それにより、上部軸１６の下部軸８に対する相対的なずれやぐらつきは解消される。
【００５５】
さらに、上下方向の調整後、規制ネジ４４をねじ回しなどを用いて上ナックル２６内部に螺入すれば、ネジ４４の先端４４ａによって、前記内部キャップ２８の上下動の上限が規制され、その結果、上部軸１６の下部軸８に対する相対的なずれやぐらつき（とくに上下方向）がほぼ完全になくなる。
【００５６】
なお、図２〜４に示される蝶番１は、上下位置調整ネジ１３および内部ケース１８が下ナックル６に取り付けられ、一方、内部キャップ２８およびスプリング４１が上ナックル２６に取り付けられているが、本発明はこれに限定されるものではなく、上下を反対にしたばあいでも前述と同様の作用で上下位置調整をすることができる。
【００５７】
また、本実施例では、前記周辺取付板４に前記中央取付板５よりも大きい開口４ａが形成されているため、取付板同士が干渉することなく全回転することができる。しかも、図１の扉Ｄが建具枠Ｆに嵌まり込んだとき、図４のごとく、開口４ａ内部にある中央取付板５は周辺取付板４からほとんど突出しなくなる。それにより、図１の扉Ｄと建具枠Ｆとのあいだの隙間をより狭くすることができる。
【００５８】
本実施例では、下部軸案内ピン１０および上部軸案内ピン１５がそれぞれ２本ずつ設けられた例が示されているが、本発明はこれに限定されるものではなく、それぞれ少なくとも１本のピンがあれば、前述のガイド効果を奏することができる。また、３本以上のピンをそれぞれ設けてもよい。
【００５９】
また、左右位置調整ネジ１２または前後位置調整ネジ９を両端のいずれからでも回転操作できるように、それぞれのネジの両端面に十字形の溝または六角形の穴などを形成するとともに中央ナックル７または下ナックル６の両側面にスリットを形成するのが好ましい。
【００６０】
また、図示しないが、スリット６ａ（図２参照）などのねじ回しを差し込む部分のまわりに、それぞれ、矢印のようなものを刻印などの方法により設けておくことが好ましい。この矢印は、各調整ネジ９、１２、１３を回動させるねじ回し（図示せず）の回転方向と、中央取付板５および周辺取付板４の調整方向との関係を示すものであり、それぞれのネジに対応して、スリット６ａなどのまわりに設けられる矢印には、「前」および「後」、「左」および「右」、「上」および「下」をそれぞれ付しておくことが好ましい。
【００６１】
さらに、本実施例の蝶番では、図２に示されているように、ゲージの代わりに、中央取付板５の上ナックル７側の側端縁において、中央取付板５に対して略垂直にのびるガイド部３６が設けられている。このガイド部３６に扉Ｄ（図１参照）を当接することにより、扉Ｄを中央取付板５に対して傾斜やずれが生じることなく、位置合わせをすることができる。
【００６２】
【発明の効果】
本発明の蝶番は、３つの調整ネジによって３方向に調整が可能である。したがって、扉を取り付けたあとに、取付の心合わせを３次元方向に行うことができ、正確な調整を行うことができる。そして、取付後の見た目が綺麗であるとともに、扉の開閉をスムーズにすることができる。左右および前後の調整は軸案内ピンに沿って水平ないし平行に行なわれるので、上部軸と下部軸とが常時ほぼ一直線上にあり、安定した回転操作を行なうことができる。
【００６３】
しかも、上部軸を常時下部軸および内部キャップによって上下から挟みながら回転自在に支持することにより、上部軸の下部軸に対する相対的なずれやぐらつきは解消され、その結果、扉の３次元方向の心合せができ、しかも扉のぐらつきも発生しない。
【００６４】
また、３方向の調整のうちの２方向（前後および上下）の調整については、ネジによる２方向からの付勢力を１個の内部ケースを介して下部軸に伝達するように構成されている。したがって、部品点数が少なくてすみ、かつ蝶番全体の小型化を達成することができる。
【００６５】
しかも中央ナックルなどにキャップを被せることにより、中央ナックル部分に異物が挟まるのを防ぐことができ、仕上がりも美しくなる。
【００６６】
なお、本発明の蝶番の上部取付板および下部取付板は、建具枠（柱など）および扉のいずれにも取り付け可能であり、現場の状況に応じて選定することができるものであって、本発明においてその取付部位がとくに限定されるものではない。
【図面の簡単な説明】
【図１】本発明の蝶番の一実施例である蝶番を扉に取り付けた一例を示す斜視説明図である。
【図２】図１の蝶番の斜視説明図である。
【図３】図２の蝶番の縦断面説明図である。
【図４】図３の蝶番のIV−IV線断面図である。
【図５】従来の蝶番の正面図である。
【図６】従来の蝶番の取付状態を示す扉の上面図である。
【図７】従来の蝶番の取付状態を示す正面図である。
【図８】従来の他の蝶番の一部断面斜視図である。
【図９】従来のさらに他の蝶番の縦断面図である。
【図１０】図９の蝶番のＸ−Ｘ線断面図である。
【符号の説明】
１  蝶番
４  周辺取付板
５  中央取付板
６  下ナックル
７  中央ナックル
８  下部軸
９  前後位置調整ネジ
１０  下部軸案内ピン
１１  上端軸受部
１２  左右位置調整ネジ
１３  上下位置調整ネジ
１５  上部軸案内ピン
１６  上部軸
１７  下端軸部
１８  内部ケース
２６  上ナックル
２８  内部キャップ
２８ａ  下端軸受部
４１  スプリング
【図１】
0003730746.tif 000002
【図２】
0003730746.tif 000003
【図３】
0003730746.tif 000004
【図４】
0003730746.tif 000005
【図５】
0003730746.tif 000006
【図６】
0003730746.tif 000007
【図７】
0003730746.tif 000008
【図８】
0003730746.tif 000009
【図９】
0003730746.tif 000010
【図１０】
0003730746.tif 000011